(57)【要約】      （修正有）【課題】比較的コストが安く、他人の手を借りることなく一人で簡単に貼ることができる使い勝手の良い貼付剤貼付器を提供する。【解決手段】平行に保持されたガイド部４１、フック部４２、およびストッパー部４３を有するハンガー部材４と、該ガイド部にスライド自在に係合され、スポンジ状本体部３２と該本体部の片面に設けられた剛毛粗面部よりなる２個の弾性体部材２，３とで構成され、２個の弾性体部材は、前記ガイド部において貼付剤を身体に貼付すべき場所のフック部からの所定位置に予め相互に接近して位置され、剛毛粗面部には貼付剤の薬剤非塗布側面が密着貼付され、２個の弾性体部材の外端部をもって所定距離拡張することにより、前記貼付剤の剥離フィルムを容易に剥離可能な状態にし、該剥離フィルムを剥離後、身体を該弾性体に押しつけることにより、身体の所定貼付位置に貼付剤が自動的に簡単に貼付される機能を有する貼付剤貼付器１。【選択図】図１
0003117024.tif 000002
【実用新案登録請求の範囲】
【請求項１】
平行に保持されたガイド部、フック部、およびストッパー部を有するハンガー部材と、該ハンガー部材の平行に保持されたガイド部にスライド自在に係合され、スポンジ状本体部と該本体部の片面に設けられ、且つ貼付剤の薬剤非塗布側面を対面して密着貼付させる剛毛粗面部よりなる２個の弾性体部材とで構成されたことを特徴とする貼付剤貼付器。
【請求項２】
前記２個の弾性体部材は、前記ハンガー部材のガイド部において貼付剤を身体に貼付すべき場所のフック部からの所定位置に予め相互に接近して位置され、且つ各弾性体部材の剛毛粗面部には貼付剤の薬剤非塗布側面が密着貼付され、前記２個の弾性体部材の外端部をもって２個の弾性体部材間隔を所定距離ガイド部に沿って拡張することにより、前記貼付剤の薬剤塗布側面に設けられた剥離フィルムを容易に剥離可能な状態にし、該剥離フィルムを剥離後、そのまま身体を該弾性体に押しつけることにより、身体の所定貼付位置に貼付剤が自動的に貼付される機能を有することを特徴とする貼付剤貼付器。
【請求項３】
前記ハンガー部材が、ワイヤー構造体またはプレート構造体であることを特徴とする請求項１または２に記載の貼付剤貼付器。
【請求項４】
前記２個の弾性体部材は、前記スポンジ状本体部と、該本体部の片面に剛毛粗面部を有し、前記スポンジ状本体部には、前記ハンガーの平行なガイド部に締め付け滑合される、距離Ｌ１をもって貫通する係合部を設けられていることを特徴とする請求項１乃至３のいずれか１項に記載の貼付剤貼付器。
【請求項５】
前記貫通する係合部が、ガイド部に沿って貫通する平面状スリットまたは２個の貫通直孔であることを特徴とする請求項４に記載の貼付剤貼付器。
【請求項６】
前記ワイヤー構造体で構成されたハンガー部材におけるストッパー部の端部が、前記２個の貫通直孔を加工するためのキリ状端部を構成しており、常時はストッパ兼用のストッパー部品を嵌合わせられていることを特徴とする請求項１乃至５のいずれか１項に記載の貼付剤貼付器。  
【請求項７】
前記２個の弾性体部材における、剛毛粗面部の材料が、三次元網目構造を有する、メラミンフォーム、硬質ナイロン繊維、ポリエステル繊維のいずれかにより構成されているものであることを特徴とする請求項１乃至６のいずれか１項に記載の貼付剤貼付器。
【考案の詳細な説明】
【技術分野】
【０００１】
本考案は、貼付剤を身体、主として背中、腰の所要の場所に他人の手を借りずに自分で容易に貼付するための貼付剤貼付器に関するものである。  
【背景技術】
【０００２】
従来、薬の身体への適用方法には、服用、注射等の方法の外に貼付薬による適用方法が広く用いられている。特に近年は、身体への吸収を適正に制御するための方法として各種薬物の貼付手法、いわゆる貼付剤による治療法が目覚ましく発達してきている。特に、服用、注射による治療法では副作用が強く、問題を生じていたニコチン中毒者の治療のための貼付療法等その治療対象も多様化してきている。
しかしながら、貼付剤による治療法の多様化に反し、その貼付方法は従来手法をでるものは少ない。すなわち、一般的には貼付剤に貼付された剥離フィルムを手により剥離し、身体の所定の場所に手により貼付するものであって、背中とか腰とか、いわゆる手の届かない部分への貼付は極めて難儀であり、貼付に他人の手を借らざるを得ないことが屡々生じていた。
【０００３】
勿論、これの対策として開発された色々な用具、装置がない訳ではない（例えば、特許文献１、特許文献２参照）。しかしながら、これらも、手の混んだ複雑なものが多くコスト的にも高く、また、その使い勝手も必ずしも満足すべきものでもなかった。
【特許文献１】特開平１１−８９８８２号公報
【特許文献２】実開平６−７５５０８号公報
【考案の開示】
【考案が解決しようとする課題】
【０００４】
本考案は上記に鑑み、比較的コストが安く、他人の手を煩わさずに自分一人で使用できる使い勝手の良い貼付剤貼付器を提供することを、その目的としている。
【課題を解決するための手段】
【０００５】
本考案の貼付剤貼付器は、
１）平行に保持されたガイド部、フック部、およびストッパー部を有するハンガー部材と、該ハンガー部材の平行に保持されたガイド部にスライド自在に係合され、スポンジ状本体部と該本体部の片面に設けられ、且つ貼付剤の薬剤非塗布側面を対面して密着貼付させる剛毛粗面部よりなる２個の弾性体部材とで構成されたものである。
２）また、上述の１）において、前記２個の弾性体部材を、前記ハンガー部材のガイド部において貼付剤を身体に貼付すべき場所のフック部からの所定位置に予め相互に接近して位置させ、且つ各弾性体部材の剛毛粗面部には貼付剤の薬剤非塗布側面が密着貼付し、前記２個の弾性体部材の外端部をもって２個の弾性体部材間隔を所定距離ガイド部に沿って開くことにより、前記貼付剤の薬剤塗布側面に設けられた剥離フィルムを容易に剥離可能な状態にし、該剥離フィルムを剥離後、そのまま身体を該弾性体に押しつけることにより、身体の所定貼付位置に貼付剤を自動的に貼付する機能を有するものである。
【０００６】
３）また、上述の１）または２）において、前記ハンガー部材を、ワイヤー構造体またはプレート構造体としたものであり、
４）上述の１）〜３）における、前記２個の弾性体部材を、前記スポンジ状本体部と、該本体部の片面に剛毛粗面部を有しており、前記スポンジ状本体部には、前記ハンガー部材の平行なガイド部に締め付け滑合される、距離Ｌ１をもって貫通する係合部を設けたもの
としたものであり、
５）上述の４）における、前記貫通する係合部を、ガイド部に沿って貫通する平面状スリットまたは２個の貫通直孔としたものであり、
６）上述の１）〜５）において、前記ワイヤー構造体で構成されたハンガー部材におけるストッパー部の端部が、前記２個の貫通直孔を加工するためのキリ状端部を構成しており、常時はストッパ兼用のストッパー部品を嵌合わせられているものであり、
７）さらにまた、前記２個の弾性体部材における、剛毛粗面部の材料を、三次元網目構造を有する、メラミンフォーム、硬質ナイロン繊維、ポリエステル繊維のいずれかにより構成したものである。
【０００７】
すなわち、本考案は、貼付剤貼付の手段において（イ）貼付剤を如何に身体の望む位置に貼付するか、（ロ）貼付剤の剥離フィルムを如何に容易に剥離するか、（ハ）これらを如何に安価、簡便な方法で行うかに焦点を合わせ考案されたものである。
これらは、比較的安価に提供されるワイヤー構造体またはプレート構造体と剛毛粗面部を有する２個の弾性体部材とを組み合わせることにより実施されるものである。
【０００８】
現在一般的に使用されている貼付剤の薬剤非塗布側面の材料は、一部に織布が使用されている場合もあるが、多くは不織布で構成されており、本出願人は、これら材料により構成された面は、三次元網目構造、特にメラミンフォーム、硬質ナイロン繊維、ポリエステル繊維により構成される三次元網目構造と接触した場合、いわゆるマジックテープ（登録商標）と同じような原理により機械的な強い密着性を保持することの知見を得た。
【０００９】
前記の機械的な密着性は、一般的に用いられている貼付剤中央部において重なり合うように配置された２枚の剥離フィルムを、貼付剤本体（不織布）の端部を反対方向に引っ張ることにより、剥離フィルムの伸び率と貼付剤本体（不織布）の伸び率との差により境界面の剥離を生じさせる引張り力に十分耐え得るものでなくてはならない。
１個の弾性体部材における剛毛粗面部の貼付剤面との接触面積は、前記引っ張り力によりズレを生じないことが必要であり、貼付剤全面積の少なくとも２５％以上密接することが望ましい。この剛毛粗面部との密着度により貼付剤から剥離フィルムを安定した状態で且つ容易に剥離することができる。
また、２個の弾性体部材により身体に貼付剤を貼付する場合、２個の弾性体部材の間隔Δが離れ過ぎると、貼付剤の中央部の圧接が不十分となり思わしくない。２個の弾性体部材の間隔Δは、貼付剤引っ張り後においても１０ｍｍ以下であることが好ましい。
【考案の効果】
【００１０】
本考案により、比較的コストが安く、自分一人で貼ることのできる使い勝手の良い貼付剤貼付器を提供することができる。
【考案を実施するための最良の形態】
【００１１】
［実施の形態１］
図１は、本考案の実施の形態１における１例を示す図である。（ａ）は平面視図、（ｂ）はＡ−Ａ’矢視図である。
図３は、本考案の実施の形態１におけるストッパー部の１例を示す説明図であり、（ａ）は丸形形状のストッパー部、（ｂ）は三角形状のストッパー部、（ｃ）は一方向に突出するストッパー部を示す。
図４は本考案の実施の形態１の弾性体部材における貫通する係合部の１例を示す説明図である。（ａ）は平面状スリットのもの、（ｂ）は２個の貫通孔のものである。
図７は、本考案の実施の形態１による、貼付剤の身体へ貼付するまでの順序を示す説明図である。（１）は貼付剤、（２）は弾性体部材に貼付剤を貼付した状態、（３）は２個の弾性体部材を矢印方向に引張り拡張した状態、（４）引張り拡張した後、剥離フィルムを剥離した状態を示す。
図において、１は貼付剤貼付器、２、３は弾性体部材、２１、３１は剛毛粗面部、２２はスポンジ状本体部、２３は平面状スリット、２４は貫通孔、４は水平タイプのハンガー部材、４１はガイド部、４２はフック部、４２１はフック部の柄部、４３はストッパー部、６３は丸形形状のストパー部、７３は三角形状のストッパー部、８３は一方向に突出するストッパー部、１００は貼付剤、１０１は貼付剤の薬剤塗布側面、１０２は下側の剥離フィルム、１０３は上側の剥離フィルム、Ｌ１はガイド間隔、Δは２個の弾性体部材間の間隔である。
【００１２】
以下、図を参考にして、本実施の形態１の構成、作用を詳細に説明をする。
図１は本実施の形態１の１例であって、主として背中や腰の水平方向位置を変化し得る水平タイプの貼付剤貼付器の１例を示すものである。
貼付剤貼付器１はハンガー部材４と弾性体部材２、３とをハンガー部材４のガイド部４１を介して組み合わせたものであり、ハンガー部材４は金属線または金属線を合成樹脂膜を被覆した線材で構成されている。金属線は２〜３ｍｍ程度の鋼線材、合成樹脂膜は厚さ約０．５ｍｍ程度のビニール等による合成樹脂被覆が好ましい。
【００１３】
ハンガー部材４は、その上部に椅子の背もたれ頂部等に引懸けるフック部４２、水平部分に２個の弾性体部材２、３を支持するガイド部とハンガー部材４との接続部であるフックの柄部４２１およびガイド部端部に設けられたストッパー部４３とよりなる。
フック部４２は、円弧状の形状のものを示しているが、椅子の背もたれ頂部等に引懸けるのに十分なフック状の形状であれば、円弧状の形状には限られない。
さらに、フック部４２の背もたれ頂部に対する引懸け状態を安定化させるために、引っ掛け部に若干の間隔を開けたループ状のフック形状とすることもできる。これにより貼付剤貼付位置をより安定的に保持することができる。
【００１４】
また、ストッパー部４３は、２個の弾性体部材２、３がガイド部から外れるのを防止するためのものであり、図３に示されるように、ガイド部４１の間隔Ｌ１より大きい形状とするが、その形状の大きさは弾性体部材２、３がガイド部から容易に外れ難い形状であれば良い。ただ、前記弾性体部材２、３の平面状スリット２３または貫通孔２４のガイド幅寸法とストッパー部４３の最大幅寸法との差が、弾性体部材２、３の材料の弾性伸び率範囲に十分入っていることが必要である。
また、ガイド部４１のガイド幅寸法Ｌ１は、平面状スリット２３または貫通孔２４のガイド幅寸法より若干大きく設定し、ガイド部４１に挿入された弾性体部材２、３の位置がしっかりと保持されることが必要である。
【００１５】
ハンガー部材４のフックの柄部４２１は、２個の弾性体部材２、３を支持するガイド部４１とフック部４２との接続部であり、ハンガー部材４を構成する前記線材の末端部をこの部分に位置させることが、ハンガー部材４の成形上好ましい。
なお、このフックの柄部４２１を１直線状に構成するばかりでなく付帯的にその中間部に菱形形状部等を構成し、フックの柄部４２１の長さを伸縮可変とすることもできる。
【００１６】
図４を参照して、２個の弾性体部材２、３は、一般に貼付剤の形状が四角形状であり、それを密着支持するに便利な平面形状であれば如何なる形状でもよいが、コスト的には四角形の形状のものが好ましい。
弾性体部材２、３は、貼付剤の薬剤非塗布側面と対面接触する剛毛粗面部２１、３１およびスポンジ状本体部２２、３２（図示せず）よりなり、スポンジ状本体部２２、３２には前記ガイド部４１と係合する平面状スリット２３または貫通孔２４を設けている。
この平面状スリット２３または貫通孔２４を介して２個の弾性体部材２、３を左右にスライドし、貼付剤１０３の身体貼付位置に配置される。
【００１７】
また、剛毛粗面部２１、３１は、前述のごとく貼付剤の薬剤非塗布側面（多くは不織布）に対し、該貼付剤の剥離フィルムを容易に剥離可能とするまで引張り拡張する変位を与えても十分な強い密着性を保持することが必要である。
また、逆に貼付剤が身体に貼付された後は、その貼付状態を損なうことなく貼付剤が弾性体部材２、３から容易に剥離し得る必要がある。
この２つの相反する条件を満足する性質が剛毛粗面部２１、３１には要求される。
本出願人の多くの実用試験の結果により、標準的な貼付剤の薬剤非塗布側面（不織布）に対しては、三次元網目構造、特にメラミンフォーム、硬質ナイロン繊維、ポリエステル繊維により構成される三次元網目構造とすることにより、上記条件が満足されることの知見を得た。
【００１８】
図８は、本実施の形態１における三次元網目構造（メラミンフォーム）の表面状態の１例を示す図である。
このメラミンフォームの三次元網目構造と不織布においては、接触面に沿った剥離までの剪断方向荷重は、接触面に垂直な剥離に至る引張り方向荷重に対して数百倍の荷重差があり、上記相反する条件は容易に解決されることがわかった。
ただ、剪断方向荷重に対して十分な密着を期待するためには、１個の弾性体部材における剛毛粗面部の貼付剤面との接触面積が適正であることが必要であり、試験の結果、貼付剤全面積の少なくとも２５％以上密接することが好ましい。
この剛毛粗面部との密着度により貼付剤から剥離フィルムを安定した状態で、且つ容易に剥離することができ、また、身体に貼付後には身体への貼付状態を何ら損なうことなく、貼付剤を弾性体部材より容易に引き離すことができる。
なお、上記２個の弾性体部材２、３は、市販の食器洗い用スポンジを転用し、ガイド用貫通孔を追加して使用することもできる。 
【００１９】
［実施の形態２］
図２は、本考案の実施の形態２における１例を示す図である。（ａ）は平面視図、（ｂ）は（ａ）の右側面視図である。
図において、５は縦形ハンガー部材、５１は縦形ガイド部、５２は縦形フック部、５３は縦形ストッパー部である。
なお、図１と同じ部分については、同一符号を付し、その説明を省略する。
【００２０】
図２は本実施の形態２の１例であって、主として背中の垂直貼付方向位置を変化し得る垂直タイプの貼付剤貼付器の１例を示すものである。
本実施の形態における貼付剤貼付器１は、その構成としてハンガー部材５を実施の形態１の横形の水平タイプに対して、縦形の垂直タイプとしたものであり、その他の構成部材および各部の仕様ならびに作用は、実施の形態１と同様でありこれらの説明を省略する。  
【００２１】
［実施の形態３］
図５は、本考案の実施の形態３におけるハンガー部材ガイド部のストッパー部の１例を示す図である。（ａ）は正面視断面参考図、（ｂ）は右側面視図である。
図において、４はハンガー部材、４３はハンガー部材におけるストッパー部、４３０はストッパー部のキリ状端部、４３１は付帯ストッパー部品、Ｌ０はキリ状端部の間隔である。
【００２２】
本実施の形態３においては、上述の実施の形態１におけるハンガー部材４がワイヤー構造体で構成される場合であって、且つガイド部４１の端部であるストッパー部４３を、平行に設定された２個のキリ状端部４３０としたものである。
本考案における２個の弾性体部材２、３には、ハンガー部材のガイド部４１とスライド自在の貫通孔が設けられている。
このキリ状端部４３０を用いて弾性体部材２、３に２個も貫通孔２４を容易に作成することができる。
【００２３】
［実施の形態４］
図６は、本考案の実施の形態４における１例を示す図である。（ａ）は平面視図、（ｂ）は右側面図である。
図において、９は平板状ハンガー部材、９１は平板状ハンガー部材のガイド部、９２は  平板状ハンガー部材のフック部、９３は平板状ハンガー部材のストッパー部、９４はロゴマークである。
なお、図１と同じ部分については、同一符号を付し、その説明を省略する。
【００２４】
本実施の形態における貼付剤貼付器１は、その構成としてハンガー部材５を実施の形態１、２のハンガー部材５がワイヤー構造体であるのに対し、平板状ハンガー部材９に変更したものであり、その他の構成部材および各部の仕様ならびに作用は、実施の形態１と同様であり、これらの説明を省略する。
本実施の形態４の特徴として平板状ハンガー部材９が平板であることを利用して、その表面に印刷または成形により各種のロゴマークや色彩、模様を付すことができる。
【実施例】
【００２５】
実施例１として、基本的に図１に示される貼付剤貼付器を作成した。
ハンガー部材の仕様：  ０．５ｍｍビニール被覆鋼線材（ｄ＝３．５ｍｍ）構造
ハンガー全長Ｂ；        ３５０ｍｍ
ガイド部間隔Ｌ１；        ４０ｍｍ
フック柄部長さＨ；      １２０ｍｍ
フック部半径Ｒ；          ３０ｍｍ
弾性体部材の仕様：
１１５ｍｍ×７０ｍｍ×厚さ３０ｍｍ
（スポンジ部分厚さ２５ｍｍ、剛毛粗面部厚さ５ｍｍ）
貫通孔    孔径ｄ０×間隔Ｌ０；３ｍｍ×３５ｍｍ
スポンジ部材料；  発泡ウレタン樹脂
剛毛粗面部材料；  メラミンフォーム材
試験貼付剤仕様：
鎮痛消炎剤（日本標準商品分類番号：８７２６４９）
貼付剤面積：           １００ｍｍ×１４０ｍｍ
剥離フィルム（２枚）： １００ｍｍ×８０ｍｍ、１００ｍｍ×７５ｍｍ
（剥離フィルム重なり部分；中央５ｍｍ幅）
【００２６】
前述の図７に記載の行程に従って背中への貼付操作を行った。
椅子等の背もたれにフック部を引っ掛け（ＯＰ１）、予め設定した手の届かない背中の貼付位置に対面するように、２個の弾性体部材をほぼ隣接するように位置させた（ＯＰ２）。然る後、２個の弾性体部材の剛毛粗面部に貼付剤の薬剤非塗布側面を密着保持させ（ＯＰ３）、２個の弾性体部材の外端部を手により約１０ｍｍ拡張した（ＯＰ４）。
これにより貼付剤の２枚の剥離フィルムの中央部は、貼付剤本体部との伸び率の差により剥離可能の状態となり、剥離フィルムは手により容易に剥離された（ＯＰ５）。
貼付剤貼付器のその状態において、再度着席し、背中を弾性体部材に押しつけることにより、貼付剤を背中に転移貼付させた。
【００２７】
結果、各行程の操作は比較的円滑に行われ、特にＯＰ４における、貼付剤拡張時に弾性体部材の剛毛粗面部からの貼付剤のズレや剥離の現象は全く認められず、また剥離フィルムの剥離も容易に実施できた。また、背中を弾性体に押しつけることにより、貼付剤の背中への転移は、スポンジ部の弾性が適正であって張り残し部分の無い状態で転移貼付された。
なお、貼付剤の転移貼付をより円滑にするためには、剛毛粗面部の厚さを若干薄くする方が好ましいことがわかった。
【産業上の利用可能性】
【００２８】
上述の実施の形態における貼付剤の形状は、四角形状の貼付剤について述べられているが、この形状は四角形状に限られず、楕円形状や患部部分のみを広面積とした異形状のものにも適用できる。
【図面の簡単な説明】
【００２９】
【図１】本考案の実施の形態１における１例を示す図である。
【図２】本考案の実施の形態２における１例を示す図である。
【図３】本考案の実施の形態１におけるストッパー部の１例を示す説明図である。
【図４】本考案の実施の形態１の弾性体部材における貫通する係合部の１例を示す説明図である。
【図５】本考案の実施の形態３におけるハンガー部材ガイド部のストッパー部の１例を示す図である。
【図６】本考案の実施の形態４における１例を示す図である。
【図７】本考案の実施の形態１による、貼付剤の身体へ貼付するまでの行程を示す説明図である。
【図８】本実施の形態１における三次元網目構造（メラミンフォーム）の表面状態の１例を示す図である。
【符号の説明】
【００３０】
１  貼付剤貼付器
２  弾性体部材（１）
２１  剛毛粗面部
２２  スポンジ状本体部
２３  平面状スリット
２４  貫通孔
３  弾性体部材（２）
３１  剛毛粗面部
３２  スポンジ状本体部
３３  平面状スリット
３４  貫通孔
４  水平タイプのハンガー部材
４１  ガイド部
４２  フック部
４２１  フックの柄部
４３  ストッパー部
４３０  キリ状端部
４３１  ストッパー部品
５  縦形ハンガー部材
５１  縦形ガイド部
５２  縦形フック部
５３  縦形ストッパー部
６３  丸形形状のストパー部
７３  三角形状のストッパー
８３  一方向に突出するストッパー
９  平板状ハンガー部材
９１  平板状ハンガー部材のガイド部
９２  平板状ハンガー部材のフック部
９３  平板状ハンガー部材のストッパー部
９４  ロゴマーク
１００  貼付剤
１０１  貼付剤の薬剤塗布側面
１０２  下側の剥離フィルム
１０３  上側の剥離フィルム
Ｌ０  キリ状端部の間隔
Ｌ１  ガイド間隔
Δ    ２個の弾性体部材間の間隔
【図１】
0003117024.tif 000003
【図２】
0003117024.tif 000004
【図３】
0003117024.tif 000005
【図４】
0003117024.tif 000006
【図５】
0003117024.tif 000007
【図６】
0003117024.tif 000008
【図７】
0003117024.tif 000009
【図８】
0003117024.tif 000010
【手続補正書】
【提出日】平成17年10月3日(2005.10.3)
【手続補正１】
【補正対象書類名】実用新案登録請求の範囲
【補正対象項目名】全文
【補正方法】変更
【補正の内容】
【実用新案登録請求の範囲】
【請求項１】
平行に保持されたガイド部、フック部、およびストッパー部を有するハンガー部材と、該ハンガー部材の平行に保持されたガイド部にスライド自在に係合され、スポンジ状本体部と該本体部の片面に設けられ、且つ貼付剤の薬剤非塗布側面を対面して密着貼付させる剛毛粗面部よりなる２個の弾性体部材とで構成されたことを特徴とする貼付剤貼付器。
【請求項２】
前記２個の弾性体部材は、前記ハンガー部材のガイド部において貼付剤を身体に貼付すべき場所のフック部からの所定位置に予め相互に接近して位置され、且つ各弾性体部材の剛毛粗面部には貼付剤の薬剤非塗布側面が密着貼付され、前記２個の弾性体部材の外端部をもって２個の弾性体部材間隔を所定距離ガイド部に沿って拡張することにより、前記貼付剤の薬剤塗布側面に設けられた剥離フィルムを容易に剥離可能な状態にし、該剥離フィルムを剥離後、そのまま身体を該弾性体に押しつけることにより、身体の所定貼付位置に貼付剤が自動的に貼付される機能を有することを特徴とする請求項１に記載の貼付剤貼付器。
【請求項３】
前記ハンガー部材が、ワイヤー構造体またはプレート構造体であることを特徴とする請求項１または２に記載の貼付剤貼付器。
【請求項４】
前記２個の弾性体部材は、前記スポンジ状本体部と、該本体部の片面に剛毛粗面部を有し、前記スポンジ状本体部には、前記ハンガーの平行なガイド部に締め付け滑合される、距離Ｌ１をもって貫通する係合部を設けられていることを特徴とする請求項１乃至３のいずれか１項に記載の貼付剤貼付器。
【請求項５】
前記貫通する係合部が、ガイド部に沿って貫通する平面状スリットまたは２個の貫通直孔であることを特徴とする請求項４に記載の貼付剤貼付器。
【請求項６】
前記ワイヤー構造体で構成されたハンガー部材におけるストッパー部の端部が、前記２個の貫通直孔を加工するためのキリ状端部を構成しており、常時はストッパ兼用のストッパー部品を嵌合わせられていることを特徴とする請求項１乃至５のいずれか１項に記載の貼付剤貼付器。  
【請求項７】
前記２個の弾性体部材における、剛毛粗面部の材料が、三次元網目構造を有する、メラミンフォーム、硬質ナイロン繊維、ポリエステル繊維のいずれかにより構成されているものであることを特徴とする請求項１乃至６のいずれか１項に記載の貼付剤貼付器。